(57)【要約】【課題】  画素内の有機化合物層の損傷を抑え、さらにクロストークを抑制した表示装置を提供する。【解決手段】  複数の有機ＥＬ素子３Ｒ，３Ｇ，３Ｂを備え、有機ＥＬ素子が第１電極１１と有機化合物層と第２電極１２とを有する表示装置であって、隣り合う２つの有機ＥＬ素子の第１電極１１の間の少なくとも一部において、第１電極の間に形成された第３電極２０を有し、有機化合物層の一部は、第１電極１１と第３電極２０とに跨って、かつ接して形成されており、第３電極２０には、閾値電圧と同極性であって、隣り合う２つの有機ＥＬ素子のいずれの閾値電圧の絶対値よりも絶対値が小さい電圧、または第２電極１５と同電位、または隣り合う２つの有機ＥＬ素子の閾値電圧と逆極性の電圧のいずれかが印加されている。【選択図】  図１
2014053236.tif 000002
【特許請求の範囲】
【請求項１】
複数の有機ＥＬ素子を備え、前記有機ＥＬ素子が第１電極と有機化合物層と第２電極とを有し、前記第１電極は前記有機ＥＬ素子ごとに形成され、前記第２電極は前記複数の有機ＥＬ素子で共通に形成された表示装置であって、
隣り合う２つの有機ＥＬ素子の第１電極の間の少なくとも一部において、第１電極の間に形成された第３電極を有し、
前記有機化合物層の少なくとも一部は、前記第１電極と前記第３電極とに跨って、かつ接して形成されており、
前記第３電極に印加されている電位から前記第２電極に印加されている電位を引いた電位差を前記第３電極に印加される電圧とし、
有機ＥＬ素子が発光し始める時の第１電極に印加されている電位から第２電極に印加されている電位を引いた電位差を閾値電圧とすると、
前記第３電極には、閾値電圧と同極性であって、隣り合う２つの有機ＥＬ素子のいずれの閾値電圧の絶対値よりも絶対値が小さい電圧、または前記第２電極と同電位、または隣り合う２つの有機ＥＬ素子の閾値電圧と逆極性の電圧のいずれかが印加されていることを特徴とする表示装置。
【請求項２】
前記第３電極と前記第２電極とは同じ電位が印加されていることを特徴とする請求項１に記載の表示装置。
【請求項３】
前記第３電極と前記第２電極とは電気的に接続されていることを特徴とする請求項１又は２に記載の表示装置。
【請求項４】
前記第３電極には、前記複数の有機ＥＬ素子すべての閾値電圧と同極性であって、有機ＥＬ素子３Ｒ，３Ｇ，３Ｂすべての閾値電圧の絶対値よりも絶対値が小さい電圧が印加されていることを特徴とする請求項１に記載の表示装置。
【請求項５】
前記複数の有機ＥＬ素子は、異なる色の光を発する複数の有機ＥＬ素子を有し、
前記有機化合物層は、前記複数の有機ＥＬ素子に共通に形成された白色の光を発する発光層を含み、
前記複数の有機ＥＬ素子は、カラーフィルターを有することを特徴とする請求項１乃至４のいずれか１項に記載の表示装置。
【請求項６】
前記複数の有機ＥＬ素子は、異なる色の光を発する複数の有機ＥＬ素子を有し、
互いに異なる色の光を発する有機ＥＬ素子はそれぞれ、互いに異なる色の光を発する発光層を有していることを特徴とする請求項１乃至４のいずれか１項に記載の表示装置。
【請求項７】
前記複数の有機ＥＬ素子は、異なる色の光を発する複数の有機ＥＬ素子を有し、
前記有機化合物層は、前記複数の有機ＥＬ素子に共通に形成された青色の光を発する発光層を含み
前記複数の有機ＥＬ素子は、色変換層を有することを特徴とする請求項１乃至４のいずれか１項に記載の表示装置。
【請求項８】
前記第１電極と前記第３電極とは同層に形成され、前記第１電極と前記第３電極の間には絶縁層が配置されていることを特徴とする請求項１乃至７のいずれか１項に記載の表示装置。
【請求項９】
前記隣り合う有機ＥＬ素子の第１電極の間には絶縁層が配置され、前記絶縁層の上に前記第３電極が形成されていることを特徴とする請求項１乃至７のいずれか１項に記載の表示装置。
【請求項１０】
前記複数の有機ＥＬ素子は、異なる色の光を発する複数の有機ＥＬ素子を有し、
前記第３電極は、互いに異なる色の光を発する隣り合う２つの有機ＥＬ素子の第１電極の間に配置され、互いに同じ色の光を発する隣り合う２つの有機ＥＬ素子の第１電極の間には配置されていないことを特徴とする請求項１乃至９のいずれか１項に記載の表示装置。
【請求項１１】
前記第３電極はストライプ状に配置されていることを特徴とする請求項１乃至１０のいずれか１項に記載の表示装置。
【請求項１２】
前記第３電極は格子状に配置されていることを特徴とする請求項１乃至１０のいずれか１項に記載の表示装置。
【請求項１３】
撮像素子と、前記撮像素子で撮像した画像を表示する表示装置と、を備え、
前記表示装置が請求項１乃至１２のいずれか１項に記載の表示装置であることを特徴とする撮像装置。
【請求項１４】
複数の有機ＥＬ素子を備え、前記有機ＥＬ素子が第１電極と有機化合物層と第２電極とを有し、前記第１電極は前記有機ＥＬ素子ごとに形成され、前記第２電極は前記複数の有機ＥＬ素子で共通に形成された発光装置であって、
隣り合う２つの有機ＥＬ素子の第１電極の間の少なくとも一部において、第１電極の間に形成された第３電極を有し、
前記有機化合物層の少なくとも一部は、前記第１電極と前記第３電極とに跨って、かつ接して形成されており、
前記第３電極に印加されている電位から前記第２電極に印加されている電位を引いた電位差を前記第３電極に印加される電圧とし、
有機ＥＬ素子が発光し始める時の第１電極に印加されている電位から第２電極に印加されている電位を引いた電位差を閾値電圧とすると、
前記第３電極には、閾値電圧と同極性であって、有機ＥＬ素子の閾値電圧の絶対値よりも絶対値が小さい電圧、または前記第２電極と同電位、または有機ＥＬ素子の閾値電圧と逆極性の電圧のいずれかが印加されていることを特徴とする発光装置。
【請求項１５】
請求項１４に記載の発光装置と、前記発光装置によって表面に潜像が形成される感光体と、前記感光体を帯電する帯電手段と、を備えた画像形成装置。
【請求項１６】
複数の有機ＥＬ素子を備え、前記有機ＥＬ素子が第１電極と有機化合物層と第２電極とを有し、前記第１電極は前記有機ＥＬ素子ごとに形成され、前記第２電極は前記複数の有機ＥＬ素子で共通に形成され、前記複数の有機ＥＬ素子の第１電極の間の少なくとも一部において、第１電極の間に形成された第３電極を有し、前記有機化合物層の少なくとも一部は、前記第１電極と前記第３電極とに跨って、かつ接して形成された表示装置の駆動方法であって、
前記第３電極に印加されている電位から前記第２電極に印加されている電位を引いた電位差を前記第３電極に印加される電圧とし、
有機ＥＬ素子が発光し始める時の第１電極に印加されている電位から第２電極に印加されている電位を引いた電位差を閾値電圧とすると、
前記第３電極に、閾値電圧と同極性であって、隣り合う２つの有機ＥＬ素子のいずれの閾値電圧の絶対値よりも絶対値が小さい電圧、または前記第２電極と同電位、または隣り合う２つの有機ＥＬ素子の閾値電圧と逆極性の電圧のいずれかを印加することを特徴とする表示装置の駆動方法。
【請求項１７】
前記第３電極に、前記第３電極と前記第２電極とは同じ電位を印加することを特徴とする請求項１６に記載の表示装置の駆動方法。
【請求項１８】
複数の有機ＥＬ素子を備え、前記有機ＥＬ素子が第１電極と有機化合物層と第２電極とを有し、前記第１電極は前記有機ＥＬ素子ごとに形成され、前記第２電極は前記複数の有機ＥＬ素子で共通に形成され、前記複数の有機ＥＬ素子の第１電極の間の少なくとも一部において、第１電極の間に形成された第３電極を有し、前記有機化合物層の少なくとも一部は、前記第１電極と前記第３電極とに跨って、かつ接して形成された発光装置の駆動方法であって、
前記第３電極に印加されている電位から前記第２電極に印加されている電位を引いた電位差を前記第３電極に印加される電圧とし、
有機ＥＬ素子が発光し始める時の第１電極に印加されている電位から第２電極に印加されている電位を引いた電位差を閾値電圧とすると、
前記第３電極には、閾値電圧と同極性であって、有機ＥＬ素子の閾値電圧の絶対値よりも絶対値が小さい電圧、または前記第２電極と同電位、または有機ＥＬ素子の閾値電圧と逆極性の電圧のいずれかを印加することを特徴とする発光装置の駆動方法。
【発明の詳細な説明】
【技術分野】
【０００１】
本発明は、有機ＥＬ素子を用いた表示装置、撮像装置、発光装置、画像形成装置、表示装置の駆動方法および発光装置の駆動方法に関する。
【背景技術】
【０００２】
有機ＥＬ素子は、陽極と、少なくとも発光層を含む有機化合物層と、陰極と、が積層された構成を成している。また、赤、緑、青の三色の有機ＥＬ素子を用いたカラーの表示装置は、赤、緑、青それぞれの発光層が各色の画素形状にパターニングされた構成や、白色を発する発光層と各色の画素形状に合わせて設けられた赤、緑、青のカラーフィルターとを備えた構成が用いられる。このようなカラーの表示装置に使用される有機ＥＬ素子の有機化合物層の一部あるいは全部は、プロセスを容易にするため、全画素で共通に形成される。
【０００３】
一方、近年では表示装置の高精細化が検討されている。高精細化により、画素サイズが小さくなり、隣り合う２つの画素の電極の間の距離が小さくなる。そのため、全画素で共通に形成された有機化合物層を介して発光する画素の隣の画素にまで電流がリークする。そして、隣の画素が発光して、クロストークが発生する。
【０００４】
特許文献１には、このクロストークを抑制するために、全画素共通で有機化合物層を形成した後、この有機化合物層のうち画素間に設けられた隔壁上に形成された部分を除去する表示装置の製造方法が記載されている。
【先行技術文献】
【特許文献】
【０００５】
【特許文献１】特開２００８−２４３５５９号公報
【発明の概要】
【発明が解決しようとする課題】
【０００６】
しかし、特許文献１の方法では、有機化合物層を形成した後に有機化合物層のパターニングをするため、画素内の有機化合物層を傷つける恐れがある。また、隔壁上の有機化合物層が除去しきれず、クロストークが十分抑制できない恐れがある。
【０００７】
本発明は、画素内の有機化合物層の損傷を抑え、さらにクロストークを抑制した表示装置を提供することを目的とする。
【課題を解決するための手段】
【０００８】
本発明の一つの態様は、複数の有機ＥＬ素子を備え、前記有機ＥＬ素子が第１電極と有機化合物層と第２電極とを有し、前記第１電極は前記有機ＥＬ素子ごとに形成され、前記第２電極は前記複数の有機ＥＬ素子で共通に形成された表示装置であって、隣り合う２つの有機ＥＬ素子の第１電極の間の少なくとも一部において、第１電極の間に形成された第３電極を有し、前記有機化合物層の少なくとも一部は、前記第１電極と前記第３電極とに跨って、かつ接して形成されており、前記第３電極に印加されている電位から前記第２電極に印加されている電位を引いた電位差を前記第３電極に印加される電圧とし、有機ＥＬ素子が発光し始める時の第１電極に印加されている電位から第２電極に印加されている電位を引いた電位差を閾値電圧とすると、前記第３電極には、閾値電圧と同極性であって、隣り合う２つの有機ＥＬ素子のいずれの閾値電圧の絶対値よりも絶対値が小さい電圧、または前記第２電極と同電位、または隣り合う２つの有機ＥＬ素子の閾値電圧と逆極性の電圧のいずれかが印加されていることを特徴とする。
【０００９】
本発明の別の態様は、複数の有機ＥＬ素子を備え、前記有機ＥＬ素子が第１電極と有機化合物層と第２電極とを有し、前記第１電極は前記有機ＥＬ素子ごとに形成され、前記第２電極は前記複数の有機ＥＬ素子で共通に形成され、前記複数の有機ＥＬ素子の第１電極の間の少なくとも一部において、第１電極の間に形成された第３電極を有し、前記有機化合物層の少なくとも一部は、前記第１電極と前記第３電極とに跨って、かつ接して形成された表示装置の駆動方法であって、前記第３電極に印加されている電位から前記第２電極に印加されている電位を引いた電位差を前記第３電極に印加される電圧とし、有機ＥＬ素子が発光し始める時の第１電極に印加されている電位から第２電極に印加されている電位を引いた電位差を閾値電圧とすると、前記第３電極に、閾値電圧と同極性であって、隣り合う２つの有機ＥＬ素子のいずれの閾値電圧の絶対値よりも絶対値が小さい電圧、または前記第２電極と同電位、または隣り合う２つの有機ＥＬ素子の閾値電圧と逆極性の電圧のいずれかを印加することを特徴とする。
【００１０】
本発明の別の態様は、複数の有機ＥＬ素子を備え、前記有機ＥＬ素子が第１電極と有機化合物層と第２電極とを有し、前記第１電極は前記有機ＥＬ素子ごとに形成され、前記第２電極は前記複数の有機ＥＬ素子で共通に形成された発光装置であって、隣り合う２つの有機ＥＬ素子の第１電極の間の少なくとも一部において、第１電極の間に形成された第３電極を有し、前記有機化合物層の少なくとも一部は、前記第１電極と前記第３電極とに跨って、かつ接して形成されており、前記第３電極に印加されている電位から前記第２電極に印加されている電位を引いた電位差を前記第３電極に印加される電圧とし、有機ＥＬ素子が発光し始める時の第１電極に印加されている電位から第２電極に印加されている電位を引いた電位差を閾値電圧とすると、前記第３電極には、閾値電圧と同極性であって、有機ＥＬ素子の閾値電圧の絶対値よりも絶対値が小さい電圧、または前記第２電極と同電位、または有機ＥＬ素子の閾値電圧と逆極性の電圧のいずれかが印加されていることを特徴とする。
【００１１】
本発明の別の態様は、複数の有機ＥＬ素子を備え、前記有機ＥＬ素子が第１電極と有機化合物層と第２電極とを有し、前記第１電極は前記有機ＥＬ素子ごとに形成され、前記第２電極は前記複数の有機ＥＬ素子で共通に形成され、前記複数の有機ＥＬ素子の第１電極の間の少なくとも一部において、第１電極の間に形成された第３電極を有し、前記有機化合物層の少なくとも一部は、前記第１電極と前記第３電極とに跨って、かつ接して形成された発光装置の駆動方法であって、前記第３電極に印加されている電位から前記第２電極に印加されている電位を引いた電位差を前記第３電極に印加される電圧とし、有機ＥＬ素子が発光し始める時の第１電極に印加されている電位から第２電極に印加されている電位を引いた電位差を閾値電圧とすると、前記第３電極には、閾値電圧と同極性であって、有機ＥＬ素子の閾値電圧の絶対値よりも絶対値が小さい電圧、または前記第２電極と同電位、または有機ＥＬ素子の閾値電圧と逆極性の電圧のいずれかを印加することを特徴とする。
【発明の効果】
【００１２】
本発明によれば、画素内の有機化合物層の損傷を抑え、さらにクロストークを抑制した表示装置を提供することができる。
【図面の簡単な説明】
【００１３】
【図１】実施形態１に係る表示装置の一例を示す模式図
【図２】実施形態１に係る表示装置が備える周辺回路の一例を示す模式図
【図３】画素回路とタイミングチャートを示す模式図
【図４】隣り合う３つの画素の等価回路図
【図５】実施形態１に係る表示装置の画素レイアウトの一例を示す模式図
【図６】実施形態１に係る表示装置の画素レイアウトの他の例を示す模式図
【図７】実施形態１に係る表示装置の画素レイアウトの他の例を示す模式図
【図８】実施形態２，３に係る表示装置の一例を示す断面模式図
【図９】実施形態４，５に係る表示装置の一例を示す断面模式図
【図１０】実施形態１乃至５に係る表示装置を備える撮像装置の一例を示す断面模式図
【図１１】実施形態６に係る発光装置を備える画像形成装置の一例を示す断面模式図
【図１２】実施形態６に係る発光装置の一例を示す平面模式図
【図１３】本実施例の色再現範囲を示す図
【図１４】本実施例の緑画素の色度を示す図
【発明を実施するための形態】
【００１４】
以下、本発明について、実施形態を挙げて図面を参照して説明する。尚、本明細書で特に図示又は記載されない部分に関しては、当該技術分野の周知又は公知技術を適用する。また以下に説明する実施の形態は、発明の一つの実施形態であって、これらに限定されるものではない。
【００１５】
（実施形態１）
図１（ａ）は、本実施形態に係る表示装置を示す斜視模式図である。本実施形態の表示装置は、有機ＥＬ素子を備える画素１００を複数有している。そして、複数の画素１００はマトリックス状に配置され、表示領域１０１を形成している。なお、画素とは１つの発光素子の発光領域に対応した領域を意味している。本実施形態の表示装置では、発光素子は有機ＥＬ素子であり、画素１００のそれぞれに１つの色の有機ＥＬ素子が配置されている。有機ＥＬ素子の発光色としては、赤色、緑色、青色、黄色、シアン、マゼンタ、白色などが挙げられる。また、本実施形態の表示装置には、発光色の異なる複数の画素（例えば赤色を発する画素、緑色を発する画素、及び青色を発する画素）からなる画素ユニットが複数配列されている。画素ユニットとは、各画素の混色によって所望の色の発光を可能とする最小の単位を示す。
【００１６】
図１（ｂ）は、図１（ａ）のＡ−Ａ’線における部分断面模式図である。画素１００は、基板１０上に、第１電極（陽極）１１と、正孔輸送層１２と、発光層１３Ｒ（１３Ｇ，１３Ｂ）と、電子輸送層１４と、第２電極（陰極）１５と、を備える有機ＥＬ素子３Ｒ（３Ｇ，３Ｂ）からなる。また、有機ＥＬ素子３Ｒは、赤色を発する有機ＥＬ素子であり、素子内の赤色発光層１３Ｒが発光する。同様に、有機ＥＬ素子３Ｇ，３Ｂは、それぞれ緑色を発する有機ＥＬ素子、青色を発する有機ＥＬ素子であり、それぞれ素子内の緑色発光層１３Ｇ、青色発光層１３Ｂが発光する。正孔輸送層１２と発光層１３Ｒ，１３Ｇ，１３Ｂと電子輸送層１４をまとめて有機化合物層という。有機化合物層の一部とは、正孔輸送層１２と発光層１３Ｒ，１３Ｇ，１３Ｂと電子輸送層１４のうち少なくとも１層を指す。
【００１７】
第１電極１１は、隣の画素の第１電極１１と分離されて形成されており、正孔輸送層１２、電子輸送層１４、第２電極１５は、全画素で共通に形成されている。なお、基板１０側から第１電極１１、正孔輸送層１２、発光層、電子輸送層１４、第２電極１５の順で積層されているが、基板１０側から第１電極１１、電子輸送層１４、発光層、正孔輸送層１２、第２電極１５の順で積層されていてもよい。後者の積層順の場合、第１電極１１が陰極、第２電極１５が陽極となる。
【００１８】
全画素で共通に形成された正孔輸送層１２は、有機ＥＬ素子の駆動電圧を下げるために、発光層１３Ｒ，１３Ｇ，１３Ｂよりもシート抵抗が小さい材料で構成されている。このため、発光させたい画素に電流を流すと、正孔輸送層１２を介して隣の画素にまで電流がリークし、隣の画素も発光してしまう。その結果、クロストークが発生する。特に、隣り合う画素が互いに異なる色を発する場合にクロストークが生じると、画素の色純度の低下を招き、カラー表示装置において色再現性が低下するという問題が生じる。さらに、第１電極１１の間の距離が小さくなると、有機ＥＬ素子自体の抵抗に対する、基板１０の面内方向、つまり、隣り合う２つの画素（有機ＥＬ素子）間の抵抗の比が小さくなる。このため、基板１０の面内方向に電流リークしやすくなり、クロストークがより顕著に表れる。
【００１９】
そこで、本発明の表示装置は、クロストークを抑制するために、図１（ｂ）で示すように、隣り合う２つの有機ＥＬ素子の第１電極１１の間には、第３電極２０が形成された構成を有している。さらに、正孔輸送層１２は、第１電極１１と第３電極２０とに跨って、かつ接して形成されている。そして、第３電極２０には、隣り合う２つの有機ＥＬ素子の閾値電圧と同極性であって、隣り合う２つの有機ＥＬ素子のいずれの閾値電圧の絶対値よりも絶対値が小さい電圧、または第２電極１５と同電位、または隣り合う２つの有機ＥＬ素子の閾値電圧と逆極性の電圧のいずれかが印加されている。
【００２０】
この構成により、発光させたい画素の第１電極１１、正孔輸送層１２、第３電極２０の電流経路が生まれ、隣の画素への電流経路をなくす、あるいは隣の画素への電流経路へ流れる電流量を小さくすることが可能となる。このため、隣の画素では発光しなくなり、クロストークが抑制される。
【００２１】
ここで、本発明における電圧は、複数の有機ＥＬ素子に共通で形成された第２電極１５の電位、もっと言えば、その第２電極１５に接続された固定電圧線の電位を基準とした電位差のことである。さらに、対象とする電極に印加される電圧とは、その電極の電位から第２電極の電位を引いた値のことである。
【００２２】
したがって、第２電極１５が陰極であるか、陽極であるかによって、第１電極１１に印加される電圧はプラスの値となる場合とマイナスの値となる場合とがある。より具体的には、第２電極１５が陰極の場合は、第１電極１１は陽極であり、第１電極１１に印加される電圧はプラスの値となる。一方、第２電極１５が陽極の場合には、第１電極１１が陰極であり、第１電極１１に印加される電圧はマイナスの値となる。
【００２３】
また、閾値電圧とは、有機ＥＬ素子が発光し始める際の、有機ＥＬ素子の第１電極１１の電位の値から第２電極１５の電位の値を引いた値のことであり、第２電極１５が陰極であるか、陽極であるかによって、プラスの値となる場合とマイナスの値となる場合とがある。より具体的には、第２電極１５が陰極の場合は、第１電極１１に印加される電圧はプラスの値であり、閾値電圧はプラスの値となる。一方、第２電極１５が陽極の場合には、第１電極１１に印加される電圧はマイナスの値であり、閾値電圧はマイナスの値となる。
【００２４】
「第３電極２０に、隣り合う２つの有機ＥＬ素子の閾値電圧と同極性であって、隣り合う２つの有機ＥＬ素子のいずれの閾値電圧の絶対値よりも絶対値が小さい電圧が印加されている」ということは、以下のことである。
【００２５】
まず、第２電極１５が陰極である場合を考える。この場合、隣り合う２つの有機ＥＬ素子のいずれの閾値電圧もプラスの値となり、そのうち絶対値の小さい方の値をＡとすると、第３電極２０に印加される電圧Ｖ３は、０＜Ｖ３＜Ａを満たす値である。
【００２６】
一方、第２電極１５が陽極である場合を考える。この場合、隣り合う２つの有機ＥＬ素子のいずれの閾値電圧はマイナスの値となり、そのうち絶対値の小さい方の値を−Ｂ（Ｂ＞０）とすると、第３電極２０に印加される電圧Ｖ３は、−Ｂ＜Ｖ３＜０を満たす値である。
【００２７】
また、「第３電極２０に、第２電極１５と同電位が印加されている」ということは、第３電極２０に印加される電圧は０Ｖであることを意味している。
【００２８】
また、「第３電極２０に、隣り合う２つの有機ＥＬ素子の閾値電圧と逆極性の電圧が印加されている」ということは、以下のことである。
【００２９】
まず、第２電極１５が陰極である場合を考える。この場合、隣り合う２つの有機ＥＬ素子のいずれの閾値電圧もプラスの値となり、第３電極２０に印加される電圧Ｖ３は、Ｖ３＜０を満たす値である。
【００３０】
一方、第２電極１５が陽極である場合を考える。この場合、隣り合う２つの有機ＥＬ素子のいずれの閾値電圧はマイナスの値となり、第３電極２０に印加される電圧Ｖ３は、０＜Ｖ３を満たす値である。
【００３１】
言い換えると、第２電極１５が陰極（第１電極１１が陽極）の場合には、第３電極２０に印加される電圧Ｖ３は、隣り合う２つの有機ＥＬ素子の閾値電圧のうち絶対値の小さい方の値をＡとすると、Ｖ３＜Ａの関係を満たしている。つまり、第３電極２０には、隣り合う２つの有機ＥＬ素子のいずれの閾値電圧よりも小さい電圧が印加されている。なお、Ｖ３は、Ｖ３＜Ａの関係を満たせば、プラスの値でもマイナスの値でもよい。
【００３２】
一方、第２電極１５が陽極（第１電極１１が陰極）の場合には、第３電極２０に印加される電圧Ｖ３は、隣り合う２つの有機ＥＬ素子の閾値電圧のうち絶対値の小さい方の値を−Ｂとすると、−Ｂ＜Ｖ３の関係を満たしている。つまり、第３電極２０には、隣り合う２つの有機ＥＬ素子のいずれの閾値電圧よりも大きい電圧が印加されている。なお、Ｖ３は、−Ｂ＜Ｖ３の関係を満たせば、プラスの値でもマイナスの値でもよい。
【００３３】
さらに、いずれの第３電極２０にも、有機ＥＬ素子３Ｒ，３Ｇ，３Ｂすべての閾値電圧と同極性であって、有機ＥＬ素子３Ｒ，３Ｇ，３Ｂすべての閾値電圧の絶対値よりも絶対値が小さい電圧が印加される構成としてもよい。また、すべての第３電極２０を電気的に接続させて共通の電圧線（不図示）に接続させてもよい。また、第３電極２０に印加される電圧は、固定電圧でもよいし、変動する電圧でもよい。
【００３４】
また、第３電極２０は、第１電極１１と同層で形成され、第１電極１１のパターニングと同じ工程で第３電極２０を形成することが望ましい。また、本実施形態において、第３電極２０は、隣り合う２つの第１電極１１から等距離に配置されている。しかしながら、第３電極の配置は本実施形態に限定されず、隣り合う２つの第１電極間にあれば、例えば一方の第１電極側に偏って配置されていても良い。
【００３５】
なお、各有機ＥＬ素子は、外部の酸素や水分が侵入しないように、封止膜３０によって封止されている。
【００３６】
正孔輸送層１２を介して発生するクロストークについて述べたが、有機化合物層の一部が隣り合う２つの第１電極１１に接して形成された構成であれば、クロストークは生じる。つまり、隣り合う２つの第１電極１１に接して形成された有機化合物層の一部が、電子輸送層１４であっても発光層でもあっても同様にクロストークが生じる。
【００３７】
また、本発明の表示装置は、基板１０側から有機ＥＬ素子の光が出射されるボトムエミッション型の表示装置でもいいし、基板１０とは反対側から有機ＥＬ素子の光が出射されるトップエミッション型の表示装置であってもよい。
【００３８】
また、本実施形態はモノクロの表示装置においても適用可能である。この構成では、全ての有機ＥＬ素子で同一の構成であり、同一の色を表示する。
【００３９】
次に、各部材に関して具体的に説明する。
【００４０】
基板１０は、石英、ガラス、プラスチック等の絶縁性の基板、金属基板、シリコン基板などを用いることができる。また、基板１０は、トランジスタやＭＩＭ素子等のスイッチング素子が上記絶縁性の基板やシリコン基板等に形成されていてもよい。また、その場合には、基板１０には、スイッチング素子の凹凸を平坦化するための平坦化膜を有していてもよい。
【００４１】
第１電極１１および第２電極１５は、酸化錫、酸化インジウム、酸化インジウム錫、酸化インジウム亜鉛などの透明酸化物導電層や、Ａｌ，Ａｇ，Ｃｒ，Ｔｉ，Ｍｏ，Ｗ，Ａｕ，Ｍｇ，Ｃｓなどの金属単体やそれらの合金からなる金属層などを用いることができる。さらには、第１電極１１および第２電極１５は、透明酸化物導電層と金属層の積層膜や、複数の金属層の積層膜で構成されていてもよい。
【００４２】
正孔輸送層１２は、公知の材料を好適に用いることができ、例えば、トリフェニルジアミン誘導体、オキソジアゾール誘導体、ポリフィリル誘導体、スチルベン誘導体等を用いることができる。この他に、酸化モリブデン、酸化タングステン等の酸化物、２，３，５，６−ｔｅｔｒａｆｌｕｏｒｏ−７，７，８，８−ｔｅｔｒａｃｙａｎｏｑｕｉｎｏｄｉｍｅｔｈａｎｅ（Ｆ４ＴＣＮＱ）などの有機物、また、これらの混合物を用いることができる。正孔輸送層１２は、正孔注入性、正孔輸送性を備える有機化合物の単層又は複数の層からなる。また、必要に応じて、正孔輸送層１２として、発光層から第１電極１１側に電子が移動するのを抑制するために、電子阻止層としての機能を併せて持たせることもできる。
【００４３】
発光層としては、特に制限はなく公知の材料を適用することが可能である。発光層は、発光材料のみで構成されていてもよいし、発光ドーパント材料とホスト材料との混合層であってもよい。また、発光層は、発光ドーパント材料とホスト材料の他にアシストドーパント材料を含んでいてもよい。また、本発明において、ホスト材料とは、発光層内の成分のうち最も重量濃度が多い材料のことをいう。また、発光材料、発光ドーパント材料は、蛍光材料、燐光材料のどちらでもよい。
【００４４】
電子輸送層１４は、公知の材料を好適に用いることができ、例えば、アルミキノリノール誘導体、オキサジアゾール誘導体、トリアゾール誘導体、フェニルキノキサリン誘導体、シロール誘導体、フェナントロリン誘導体等が挙げられる。この他に、アルカリ金属やアルカリ土類金属、希土類金属、及びこれらの化合物を用いることができる。また、例示した材料の混合物も好適に用いることができる。電子注入性、電子輸送性を備える有機化合物の単層又は複数の層からなる。また、電子輸送層１４として、正孔阻止層としての機能を併せて持たせることもできる。
【００４５】
また、正孔輸送層１２、電子輸送層１４として、発光層で発生した励起子の拡散を抑制するための励起子阻止層としての機能を併せて持たせることもできる。なお、正孔輸送層１２と電子輸送層１４は、必須ではなく、有機ＥＬ素子の構成によってはなくてもよい。
【００４６】
封止膜３０は、酸素や水分の有機ＥＬ素子に対する侵入を防ぐ機能を有しており、窒化珪素や酸化珪素、酸化アルミナなどの無機材料を使用することができる。また、封止膜３０は、２層以上の無機材料からなる積層膜で構成されていてもよいし、無機材料と樹脂材料の積層膜で構成されていてもよい。
【００４７】
有機ＥＬ素子を封止する構成であればどんなものでもよく、封止膜３０の代わりに封止キャップであってもよい。封止キャップはガラスやプラスチックなどのキャップ状の部材を用いることができる。また、封止キャップは、例えばガラス板などの板状の部材と、この部材と基板１０とを接着するために表示領域１０１の周囲に配置されたシール剤と、で構成されてもよい。また、封止キャップと有機ＥＬ素子の第２電極１５との間の空間は、窒素やアルゴン等のガスが封入されていてもよいし、アクリル樹脂などの樹脂材料で充填されていてもよい。また、その空間には乾燥剤が配置されていてもよい。
【００４８】
（表示装置の駆動方法）
本発明の表示装置の駆動方法を、図２を用いて説明する。図２は、表示装置の表示領域１０１と各配線、周辺回路の様子を示す模式図である。
【００４９】
表示装置は、画素１００がｍ行×ｎ列の２次元状に配列されて構成された表示領域１０１の外に、データ線駆動回路１０２と走査線駆動回路１０３と電源線駆動回路１０４とを備えている。データ線駆動回路１０２には、不図示の表示パネルコントローラから映像信号が入力され、データ線駆動回路１０２の各出力端子から映像信号に応じた階調表示データであるデータ電圧がｎ本あるデータ線１０５に出力される。走査線駆動回路１０３には、不図示の表示パネルコントローラから制御信号が入力され、走査線駆動回路１０３の各出力端子から画素１００の動作を制御する制御電圧がｍ本ある走査線１０６に出力される。また、電源線駆動回路１０４は、各走査線１０６と並行に配置された電源線１０７に電圧を印加する。
【００５０】
図３（ａ）は、ｉ行ｋ列目の画素回路２００を示したものである。画素回路２００は、ｎ型の選択トランジスタ２０１、ｐ型の駆動トランジスタ２０２、データ電圧を保持する保持容量２０３を有している。選択トランジスタ２０１のゲート電極は走査線１０６（ｉ）に接続され、ソース電極とドレイン電極の一方はデータ線１０５（ｋ）に、他方は駆動トランジスタ２０２のゲート電極に接続されている。また、駆動トランジスタ２０２のソース電極は電源線１０７に接続され、ドレイン電極は有機ＥＬ素子３に接続されている。保持容量２０３は、一方の端子は駆動トランジスタ２０２のゲート電極に接続され、他方は電源線１０７に接続されている。なお、有機ＥＬ素子３の一端は駆動トランジスタ２０２に接続されているが、他端は固定電圧線１０８に接続されている。なお、走査線１０６（ｉ）はｉ行目の走査線１０６を表し、データ線１０５（ｋ）は、ｋ列目のデータ線１０５を表している。
【００５１】
図３（ｂ）は、図３（ａ）の画素回路２００の駆動方法、およびｉ−１行目、ｉ＋１行目にある画素回路の駆動方法を示すタイミングチャートであり、線順次駆動の例を示す。ｉ行目の画素の書き込み期間Ａでは、ｉ行目の走査線１０６（ｉ）に印加される制御電圧Ｐ（ｉ）がＨｉｇｈ  ｌｅｖｅｌである。このため、選択トランジスタ２０１が導通状態になり、データ線１０５（ｋ）から、データ電圧Ｖ（ｉ）が画素回路２００に印加され、データ電圧Ｖ（ｉ）に対応する電荷が保持容量２０３に保持される。その後、制御電圧Ｐ（ｉ）がｌｏｗ  ｌｅｖｅｌになり、選択トランジスタ２０１が非導通状態となる。発光期間Ｂでは、書き込み期間Ａで保持容量２０３に書き込まれたデータ電圧Ｖ（ｉ）に対応した電流が、駆動トランジスタ２０２を介して電源線１０７から有機ＥＬ素子に流れる。そして、この電流量に対応した輝度で有機ＥＬ素子３が発光する。この書き込み期間Ａと発光期間Ｂを合わせたものが１フレームである。発光期間Ｂが終わると、次のフレームの書き込み期間Ａ”が始まる。なお、厳密には、発光期間Ｂだけでなく、図３（ａ）の画素回路２００では、書き込み期間Ａ中も発光している。
【００５２】
また、ｉ−１行目、ｉ＋１行目の画素回路の駆動方法も同様であるが、ｉ−１行目の書き込み期間は、図３（ｂ）で、制御電圧Ｐ（ｉ−１）がｈｉｇｈ  ｌｅｖｅｌになっている期間である。そして、ｉ行目の書き込み期間Ａが始まる前に終了し、ｉ行目の前フレームの発光期間Ｂ’と重なっている。またｉ＋１行目の書き込み期間は、制御電圧Ｐ（ｉ＋１）がｈｉｇｈ  ｌｅｖｅｌになっている期間であり、ｉ行目の書き込み期間Ａの終了後に始まり、ｉ行目の現フレームの発光期間Ｂと重なる。このように、ｉ−１行目、ｉ行目、ｉ＋１行目の順に、各画素にデータ電圧が書き込まれ、そのデータ電圧に応じて、ｉ−１行目、ｉ行目、ｉ＋１行目の順に、有機ＥＬ素子が発光する。
【００５３】
図４は、図１（ｂ）に対応する画素回路、有機ＥＬ素子の等価回路を表している。画素回路の構成は図３（ａ）と同じだが、画素回路の間に第３電極２０が配置され、第３電極２０と有機ＥＬ素子の第１電極１１側とは抵抗３００を介して電気的に接続された等価回路となっている。ここで、抵抗３００は、隣り合う２つの有機ＥＬ素子の２つの第１電極１１に共通に接して形成された有機化合物層の一部（正孔輸送層１２）の基板１０の面内方向の抵抗を表している。
【００５４】
本発明では、第３電極２０を設けて、第３電極２０に印加する電圧を制御することで、リーク電流が第３電極２０に流れる。そのため、例えば有機ＥＬ素子３Ｇを発光させるときに、有機ＥＬ素子３Ｒ，３Ｂが発光しない。また、第３電極２０には、表示装置が駆動している間、隣り合う２つの有機ＥＬ素子のいずれの閾値電圧よりも小さい電圧が印加されていることが好ましい。
【００５５】
（レイアウト）
図５は、図１（ａ）で示した表示装置の一部の平面模式図である。なお、見やすくするために、第３電極２０と各画素以外の要素、有機化合物層や第１電極１１、第２電極１５などは省略している。
【００５６】
第３電極２０は、赤画素１００Ｒと緑画素１００Ｇ，緑画素１００Ｇと青画素１００Ｂ，青画素１００Ｂと赤画素１００Ｒの間に設けられている。つまり、互いに異なる色を発する隣り合う２つの有機ＥＬ素子の第１電極１１の間に配置され、互いに同じ色を発する隣り合う２つの有機ＥＬ素子の第１電極１１の間には配置されていない。また、第３電極２０は島状でもよいが、互いに接続されてストライプ状に形成されていることが好ましい。なお、各画素の大きさは、同じでもよいし寿命などの観点から異ならせてもよい。
【００５７】
また、画素のレイアウトは図５に限らず、図６（ａ）のように、互いに同じ色を発する隣り合う２つの有機ＥＬ素子の第１電極１１の間にも第３電極２０が形成されていてもよい。この場合、第３電極２０は島状ではなく、互いに接続されて格子状に形成されていることが望ましい。
【００５８】
また、本発明は、図６（ｂ）のように、緑画素が２つの画素１００Ｇａ，１００Ｇｂとで構成されている場合も適用できる。この場合も第３電極２０は、格子状に形成されていることが望ましい。また、図６（ｂ）のレイアウトにおいて、緑画素１００Ｇａを緑画素１００Ｇ、緑画素１００Ｇｂを白色画素とした構成であってもよい。その他の色の組み合わせも可能である。
【００５９】
図７（ａ）のようにデルタ配置であっても本発明は適用することができる。また、図７（ｂ）のように、デルタ配置において、青画素１００Ｂの面積を他の画素よりも大きくする構成であっても適用することができる。この構成では、青画素１００Ｂの寿命を延ばすことができるため好ましい。
【００６０】
（実施形態２）
図８（ａ）は本実施形態の表示装置の断面模式図を表している。実施形態１では、発光層は色ごとで形成されていたが、本実施形態では、発光層１３が赤色、緑色、青色を発する有機ＥＬ素子で共通に形成されて、白色を発する点が異なる。また、本実施形態では、カラー表示のために、封止膜３０の上には、各画素に対応して赤色、緑色、青色のカラーフィルター４０Ｒ，４０Ｇ，４０Ｂが形成されている。それ以外は実施形態１と同じである。本実施形態では、有機化合物層の全部が全画素で共通に形成されている。
【００６１】
発光層１３は、単層でも２つ以上の別の色を発する発光層が積層された構成であってもよい。発光層１３が単層である場合には、赤色、緑色、青色の発光ドーパント材料とホスト材料からなる層や、シアン、黄色の発光ドーパント材料とホスト材料とからなる層が例として挙げられる。２つ以上の発光層が積層された構成では、赤色を発する第１発光層と緑色を発する第２発光層と青色を発する第３発光層とが積層された構成や、赤色、緑色の発光ドーパント材料を含む第１発光層と青色を発する第２発光層とが積層された構成などが挙げられる。なお、２つ以上の発光層が積層された構成では、発光層どうしが接している必要はなく２つの発光層の間に発光しない層が設けられていてもよい。
【００６２】
カラーフィルター４０Ｒ，４０Ｇ，４０Ｂは、公知の材料を使用することができる。また、図８（ａ）で示すように、カラーフィルター４０Ｒ，４０Ｇ，４０Ｂは封止膜３０上にパターニング形成されていてもよいし、基板（不図示）にカラーフィルター４０Ｒ，４０Ｇ，４０Ｂを形成し、封止膜３０上に張り合わせるようにしてもよい。
【００６３】
また、画素ごとにパターニングされたカラーフィルターの間にはブラックマトリックスが形成されていてもよい。
【００６４】
（実施形態３）
図８（ｂ）は、本実施形態の表示装置の断面模式図を表している。実施形態２では、発光層１３が白色を発する発光層であったが、本実施形態では青色を発する発光層である点が異なる。また、本実施形態では、カラー表示のために、封止膜３０の上には、赤色、緑色の画素に対応して、青色を赤色に変換する色変換層５０Ｒ、青色を緑色に変換する色変換層５０Ｇが形成されている。それ以外は実施形態２と同じである。
【００６５】
色変換層５０Ｒ，５０Ｇは公知の材料を使用することができる。色変換層５０Ｒ，５０Ｇは封止膜３０上にパターニング形成されていてもよいし、基板（不図示）に色変換層５０Ｒ，５０Ｇを形成し、封止膜３０上に張り合わせるようにしてもよい。
【００６６】
（実施形態４）
図９（ａ）は、本実施形態の表示装置の断面模式図を表している。本実施形態は、第１電極１１と第２電極１５とがショートしないように、第１電極１１の端部を絶縁層６１で覆われている点が実施形態１と異なる。つまり、本実施形態では、第１電極１１と第３電極２０の間に絶縁層６１が配置された構成である。これ以外は第１の実施形態と同じである。
【００６７】
絶縁層６１は、ポリイミド樹脂、アクリル樹脂などの樹脂材料や、酸化珪素、窒化珪素などの無機材料を用いることができる。また、樹脂材料と無機材料とを積層した構成でもよい。
【００６８】
本実施形態は、実施形態２，３と組み合わせることも可能である。
【００６９】
（実施形態５）
図９（ｂ）は、本実施形態の表示装置の断面模式図を表している。本実施形態は、第１電極１１と第２電極１５とがショートしないように、第１電極１１の端部が絶縁層６２で覆われ、絶縁層６２の上に第３電極２０が配置された構成である。これ以外は実施形態１と同じである。
【００７０】
絶縁層６２は、ポリイミド樹脂、アクリル樹脂などの樹脂材料や、酸化珪素、窒化珪素などの無機材料を用いることができる。また、樹脂材料と無機材料とを積層した構成でもよい。
【００７１】
本実施形態は、実施形態２，３と組み合わせることも可能である。
【００７２】
上述した表示装置としては、テレビ受像機、パーソナルコンピュータの表示部に用いられる。他には、デジタルカメラやデジタルビデオカメラなどの撮像装置の表示部や電子ビューファインダに用いられてもよい。
【００７３】
撮像装置は、図１０で示すように、筺体９０内にローパスフィルタ９１や赤外線カットフィルタ９２、ＣＭＯＳセンサなどの撮像素子９３を有している。実施形態１乃至５に記載した表示装置９４は、撮像装置の筺体９０内に配置され、撮像素子９３で撮像して画像処理回路で画像化された画像を表示することができる。また、図１０では、撮像装置は筺体９０の外にレンズ９５が設けられ、レンズ９５と筺体９０とが着脱可能な構成となっている。ただし、本実施形態の表示装置は、筺体９０とレンズが一体で設けられた撮像装置にも適用可能である。
【００７４】
また、本実施形態の表示装置は、携帯電話の表示部、携帯ゲーム機の表示部等に用いられてもよいし、さらには、携帯音楽再生装置の表示部、携帯情報端末（ＰＤＡ）の表示部、カーナビゲーションシステムの表示部に用いられてもよい。
【００７５】
（実施形態６）
本実施形態は、発光装置に関する。特に本実施形態の発光装置は、図１１に示すような画像形成装置の露光光源として使用することができる。画像形成装置は、発光装置と、発光装置によって表面に潜像が形成される感光体と、感光体を帯電する帯電手段と、を備えている。
【００７６】
本実施形態の発光装置には、有機ＥＬ素子を備える発光領域４００を複数有している。図１２（ａ）では、複数の発光領域４００は千鳥状に配置され、図１２（ｂ）では、複数の発光領域４００は１列に配置されている。有機ＥＬ素子の発光色としては、赤色、緑色、青色、黄色、シアン、マゼンタ、白色などが挙げられ、感光体の感光特性に応じて有機ＥＬ素子の構成を適宜採用すればよい。
【００７７】
図１２（ｃ）は、図１２（ａ）のＢ−Ｂ’線における部分断面模式図である。発光領域４００は、基板１０上に、第１電極（陽極）１１と、正孔輸送層１２と、発光層１３と、電子輸送層１４と、第２電極（陰極）１５と、を備える有機ＥＬ素子３からなる。正孔輸送層１２と発光層１３と電子輸送層１４をまとめて有機化合物層という。有機化合物層の一部とは、正孔輸送層１２と発光層１３と電子輸送層１４のうち少なくとも１層を指す。
【００７８】
第１電極１１は、隣の画素の第１電極１１と分離されて形成されており、正孔輸送層１２、電子輸送層１４、第２電極１５は、全画素で共通に形成されている。また、各有機ＥＬ素子は、外部の酸素や水分が侵入しないように、封止膜３０によって封止されている。
【００７９】
本実施形態のような画像形成装置に使用する発光装置でも表示装置と同様にリーク電流によるクロストークが問題となる。クロストークが発生すると、画像形成装置の感光体への結像ぼけが生じ、所定の画像を出力することができなくなってしまう。
【００８０】
これに対して、本実施形態の発光装置では、実施形態１と同様に、図１２（ｃ）で示すように、隣り合う２つの有機ＥＬ素子の第１電極１１の間に第３電極２０が形成された構成を有している。さらに、正孔輸送層１２は、第１電極１１と第３電極２０とに跨って、かつ接して形成されている。そして、第３電極２０には、有機ＥＬ素子の閾値電圧と同極性であって、隣り合う２つの有機ＥＬ素子のいずれの閾値電圧の絶対値よりも絶対値が小さい電圧、または第２電極１５と同電位、または有機ＥＬ素子の閾値電圧と逆極性の電圧のいずれかが印加されている。なお、本実施形態の有機ＥＬ素子はすべて同色を発光し、同じ構成を有している。
【００８１】
次に、本実施形態の発光装置を露光光源として備える画像形成装置について説明する。図１１の画像形成装置は、イエロー（Ｙ）、マゼンダ（Ｍ）、シアン（Ｃ）、ブラック（Ｋ）の４色のトナーを重ね合わせてカラー画像を形成するカラーモードと、ブラック（Ｋ）のトナーのみを用いてモノクロ画像を形成するモノクロモードとを選択的に実行可能である。なお、図１１は、副走査方向の要部断面図である。画像形成装置では、パーソナルコンピュータ等の外部機器からコードデータＤｃがプリントコントローラ（不図示）に入力されると、コードデータＤｃは、画像データ（ドットデータ）Ｄｉに変換される。この画像データＤｉは、画像形成装置に内蔵された露光ユニット７０Ｙ，７０Ｍ，７０Ｃ，７０Ｋに入力される。そして、各露光ユニット７０Ｙ，７０Ｍ，７０Ｃ，７０Ｋは、画像データＤｉに基づいて制御される。
【００８２】
露光ユニット７０Ｙは、本実施形態の発光装置と、その発光装置から射出された光を集光して感光ドラム８５Ｙの表面に露光光を照射するためのレンズと、を有している。また、露光ユニット７０Ｙは、感光ドラム８５Ｙの表面の所定の位置以外に光が照射されないように光吸収部材を有していてもよい。
【００８３】
画像形成装置の筺体８０内には、露光ユニット７０Ｙ，７０Ｍ，７０Ｃ，７０Ｋの他に、プリントコントローラ、転写ベルト８１、給紙ユニット８２、定着ローラ８３、加圧ローラ８４、が配置されている。さらに、筺体８０内には、感光ドラム８５Ｙ，８５Ｍ，８５Ｃ，８５Ｋ、帯電ローラ８６Ｙ，８６Ｍ，８６Ｃ，８６Ｋ、現像器８７Ｙ，８７Ｍ，８７Ｃ，８７Ｋ、転写ローラ８８Ｙ，８８Ｍ，８８Ｃ，８８Ｋが配置されている。給紙ユニット８２は、着脱自在に構成されている。
【００８４】
画像形成動作は以下のとおりである。なお、以下では、イエロー（Ｙ）の画像を潜像する場合について述べるが、転写ベルト８１によって用紙が搬送されて、マゼンダ（Ｍ）、シアン（Ｃ）、ブラック（Ｋ）の画像が、イエロー（Ｙ）の画像形成と同様に、順次形成される。
【００８５】
まず、プリントコントローラからの信号に基づき、静電潜像担持体である感光ドラム８５Ｙは、モーター（不図示）によって時計廻りに回転する。そして、この回転に伴って、感光ドラム８５Ｙの各感光面が各露光光に対して回転する。感光ドラム８５Ｙの下方には、感光ドラム８５Ｙの表面を所望のパターンで帯電するための帯電ローラ８６Ｙが表面に当接するように設けられている。そして、帯電ローラ８６Ｙによって一様に帯電された感光ドラム８５Ｙの表面に、露光ユニット７０Ｙによって露光光が照射される。
【００８６】
露光ユニット７０Ｙから射出された露光光は、画像データＤｉに基づいて照射位置、照射タイミング、照射時間、照射強度などが調整され、露光光によって感光ドラム８５Ｙの表面に静電潜像が形成される。この静電潜像は、露光光の照射位置よりも感光ドラム８５Ｙの回転方向の下流側に感光ドラム８５Ｙと当接するように配設された現像器８７Ｙによってトナー像として現像される。
【００８７】
現像器８７Ｙによって現像されたトナー像は、感光ドラム８５Ｙの下方で、感光ドラム８５Ｙに対向するように配設された転写ローラ８８Ｙによって被転写材である用紙の上に転写される。用紙は、給紙ユニット８２内の用紙カセット内に収納されているが、手差しトラーでも給紙が可能である。用紙カセットの端部には、給紙ローラが配設されており、用紙カセット内の用紙を搬送路へ送り込む。
【００８８】
以上のようにして、トナー像が転写された用紙は、転写ベルト８１によって定着器へと搬送される。定着器は、内部に定着ヒータ（不図示）を有する定着ローラ８３とこの定着ローラ８３に圧接するように配設された加圧ローラ８４とで構成されており、搬送されてきた用紙を定着ローラ８３と加圧ローラ８４とで加圧しながら加熱することにより、用紙上のトナー像を定着させる。
【実施例】
【００８９】
図１に示す構成の表示装置を作製した。本実施例は、実施形態２に対応している。
【００９０】
まず、シリコン基板上に画素回路（不図示）を形成し、その上に酸化珪素からなる層間絶縁膜を形成して、図１（ａ）に示す基板１０を作製した。この基板１０上にＴｉ膜をスパッタリング法にて５０ｎｍの厚さで形成した。続いて、Ｔｉ膜を画素毎にパターニングして第１電極（陽極）１１を形成した。画素レイアウトは図６である。
【００９１】
第１電極１１の上に、以下の有機化合物層を真空蒸着法により全画素共通に成膜した。まず、正孔輸送層１２を形成した。正孔輸送層１２は、第１正孔輸送層と第２正孔輸送層と電子ブロック層からなる。第１正孔輸送層は、下記の化合物１に示すホスト材料に、ＮＤＰ９（ＮＯＶＡＬＥＤ社製）を０．５ｗｔ％ドープし、１５ｎｍで成膜した。第１正孔輸送層の上に、化合物１の材料を１０ｎｍで第２正孔輸送層を成膜した。第２正孔輸送層の上に、化合物２に示す材料を１０ｎｍで電子ブロック層を成膜した。
【００９２】
次に、その上に、白色に発光する発光層１３として、まず、化合物３で示すホスト材料に、化合物４に示す発光ドーパント材料を２ｗｔ％、ＴＲＲ−Ｄ１２５（東レ社製）を０．２ｗｔ％ドープし、１０ｎｍ成膜して形成した。さらに、化合物３で示すホスト材料に、化合物５に示す発光ドーパント材料を１ｗｔ％ドープし、１０ｎｍで形成した。
【００９３】
発光層１３の上に、電子輸送層１４として第１電子輸送層と第２電子輸送層とを形成した。第１電子輸送層は、下記の化合物６を１０ｎｍで形成した。その上に、第２電子輸送層としては、層中のセシウム濃度が８．３ｗｔ％となるように化合物６に示すホスト材料とＣｓ２ＣＯ３とを共蒸着して１０ｎｍで形成した。
【００９４】
その上に、第２電極１５として酸化インジウム亜鉛を５００ｎｍで成膜した。
【００９５】
そして、第２電極１５の上に窒化珪素の封止膜３０を４μｍで成膜した。さらに、その上に、画素ごとにパターニングして、ネガ型のアクリル系感光性材料に顔料を分散させたカラーフィルター４０Ｒ，４０Ｇ，４０Ｂを形成した。各カラーフィルターの厚さは２μｍであった。
【００９６】
【化１】
2014053236.tif 000003
【００９７】
上記のようにして作製した表示装置を駆動して所定の画像を表示した。この表示装置の各画素の画素回路は図３で示すものであった。
【００９８】
第１電極１１は、有機ＥＬ素子が発光する時には、輝度に応じて閾値電圧である２．６Ｖ以上の所定の電圧が印加され、有機ＥＬ素子には駆動トランジスタ２０２を介して電流が流れた。一方、有機ＥＬ素子が発光しない時は、画素回路２００と電流の供給が遮断された。
【００９９】
第２電極１５には、全画素共通であり、表示装置が駆動している間は常に０Ｖを印加した。
【０１００】
第３電極２０は第２電極１５と表示領域の外で接続されており、常に０Ｖ、つまり閾値電圧より小さい電圧が印加された。
【０１０１】
図１３は、上記のように第３電極２０に閾値電圧より小さい電圧を印加した場合の、表示装置の色再現性を示している。図１３は以下のようにして作成された。
【０１０２】
まず、赤色、緑色、青色の画素のうち、緑色の画素のみを所望の輝度で発光させ、他の２色は発光させない場合の色度の測定を行った。そして、低輝度から高輝度までの所定の輝度でこの色度の測定を行った。この結果を図１４に示す。次に、赤色の画素、青色の画素でも同様に色度の測定を行った。各色、複数の輝度での色度のデータから、ＮＴＳＣ色座標系を１００％としてそれに対する割合を算出し図１２を作成した。
【０１０３】
また、第３電極２０を設けない構成で上記と同様の色再現性を算出し、プロットしたものも比較として図１３に記す。
【０１０４】
図１３から、第３電極２０を設けない場合に比べて、第３電極２０を設けて閾値電圧より小さい電圧を印加した場合の方が、いずれの輝度でも色再現性が抑制されていることが分かる。また、第３電極２０を設けて閾値電圧より小さい電圧を印加した場合では、いずれの輝度でも、色再現性がほぼ一定に保たれていた。これらのことは、画素間で生じるクロストークが抑制された結果だと考える。
【符号の説明】
【０１０５】
３Ｒ，３Ｇ，３Ｂ  有機ＥＬ素子
１１  第１電極
１５  第２電極
２０  第３電極
【図１】
2014053236.tif 000004
【図２】
2014053236.tif 000005
【図３】
2014053236.tif 000006
【図４】
2014053236.tif 000007
【図５】
2014053236.tif 000008
【図６】
2014053236.tif 000009
【図７】
2014053236.tif 000010
【図８】
2014053236.tif 000011
【図９】
2014053236.tif 000012
【図１０】
2014053236.tif 000013
【図１３】
2014053236.tif 000014
【図１４】
2014053236.tif 000015
【図１１】
2014053236.tif 000016
【図１２】
2014053236.tif 000017